(57)【要約】【課題】家庭用および産業用に使用される加湿装置において、加湿装置使用上の利便性向上のため、使用者が加湿装置を利用する際の一定期間ごとのメンテナンスを軽減することのできる加湿装置を提供することを目的としている。【解決手段】少なくとも空気取り入れ口と空気吹き出し口と送風手段を備え、吸湿性を持つセラミックス素材で構成された加湿構造体と前記加湿構造体への水供給手段が空気取り入れ口と空気吹き出し口の間に設置されたことにより、乾燥空気を空気取り入れ口より取り入れ、加湿構造体と接触することで取り入れた空気を加湿して空気吹き出し口から供給することの出来る加湿装置において空気と接触する加湿構造体を吸湿性を持つセラミックス素材で構成したものであり、毛細管現象を利用せず、また、加湿用水中のスケール分の付着に対しても影響が少ない為一定期間ごとのメンテナンスを軽減できる加湿装置。【選択図】図１
2005114276.tif 000002
【特許請求の範囲】
【請求項１】
少なくとも空気取り入れ口と空気吹き出し口と送風手段を備え、吸湿性を持つセラミックス素材で構成された加湿構造体と前記加湿構造体への水供給手段が空気取り入れ口と空気吹き出し口の間に設置されたことにより、乾燥空気を空気取り入れ口より取り入れ、加湿構造体と接触することで取り入れた空気を加湿して空気吹き出し口から供給することの出来る加湿装置。
【請求項２】
吸湿性を持つセラミックス素材で構成された加湿構造体が立体構造を持たせるための支持基材を用いて構成され、良好な通気性を持った請求項１記載の加湿装置。
【請求項３】
吸湿性を持つセラミックス素材が疎水性のアルミノケイ酸塩である請求項１または２記載の加湿装置。
【請求項４】
支持基材がハニカム形状である請求項１、２または３記載の加湿装置。
【請求項５】
支持基材が発泡形状である請求項１、２または３記載の加湿装置。
【発明の詳細な説明】
【技術分野】
【０００１】
本発明は、家庭用および産業用に使用される加湿装置に関する。
【背景技術】
【０００２】
従来、この種の加湿装置は、自然加湿による気化式加湿のもの、また、ヒータ加熱により釜から蒸気を発生させるヒータ式加湿のものが知られている（例えば、特許文献１参照）。
【０００３】
以下、その加湿装置について図２および図３を参照しながら説明する。
【０００４】
図に示すように本体１０１は送風装置１０２および給水管１０５を内蔵し、送風装置１０２の吸込側に加湿フィルタ１０３を設けている。本体側面に開口した吸込口１０４ａと本体上部の吹出口１０４ｂを通風路で通風し、この通風路内に送風装置１０２と加湿フィルタ１０３を配置している。給水管１０５の回転により本体１０１下部に設けた水槽１０６の水が加湿フィルタ１０３に供給される。また、本体１０１内部に制御部１０７を設け、制御部１０７内のマイクロコンピュータ１０８は湿度検知素子１０９と、通電時間記憶手段１１０と、操作部１１１の表示部１１２およびスイッチ部１１３と接続されている。表示部１１２には加湿フィルタ１０３の清掃時期を知らせる表示素子（図示せず）を設けている。上記構成において、本体１０１に電源が供給されると、マイクロコンピュータ１０８は電源が通電された時間を通電時間記憶装置１１０に随時記憶する。ここで、通電時間記憶装置１１０の通電時間Ｔがマイクロコンピュータ１０８に記憶されている所定の清掃時間Ｔ１を超えた場合は、前記表示素子を点灯させ、使用者に加湿フィルタ１０３の清掃を促すことになる。また通電時間記憶装置１１０の通電時間Ｔが清掃時間Ｔ１未満の時間内であれば、操作部１１１による運転開始への待機状態となり運転信号が入力される。例えば自動運転の場合、マイクロコンピュータ１０８は湿度検知素子１０９により検出された湿度が所定のしきい値よりも低い場合に送風装置１０２を運転する。これにより給水管１０５を介して加湿フィルタ１０３に散水が供給され、送風装置１０２により通風され加湿することができる。
【特許文献１】特開２０００−０７４４２９号公報
【発明の開示】
【発明が解決しようとする課題】
【０００５】
このような従来の加湿装置では、使用される加湿フィルタが毛細管現象を利用している為、一定期間ごとに加湿フィルタに付着したスケール分を洗浄する必要があり、加湿装置使用上の利便性向上のためメンテナンスを軽減することが要求されている。
【０００６】
本発明は、このような従来の課題を解決するものであり、使用者が加湿装置を利用する際の一定期間ごとのメンテナンスを軽減することのできる加湿装置を提供することを目的としている。
【０００７】
また、このような気化式加湿フィルタを用いる場合は加湿フィルタの圧力損失が大きくなると機器からの発生騒音、機器の消費電力が増大するという課題があり、加湿フィルタの圧力損失を低くすることが求められている。
【０００８】
本発明は、このような従来の課題を解決するものであり、加湿フィルタの圧力損失を低減し、機器からの発生騒音、機器の消費電力を低く抑えることの出来る加湿装置を提供することを目的としている。
【０００９】
またこのような気化式加湿フィルタを用いる場合は加湿フィルタの吸水性、放水性が良好でないと加湿効率は悪くなるという課題があり、加湿フィルタの吸放湿効率を向上することが求められている。
【００１０】
本発明は、このような従来の課題を解決するものであり、加湿フィルタの吸放湿効率を向上させ、加湿効率を向上させることの出来る加湿装置を提供することを目的としている。
【００１１】
また、このような気化式加湿フィルタを使用する場合は加湿フィルタと送風手段により送風される空気との接触効率が低いと加湿効率が低下するという課題があり、加湿フィルタと送風手段により送風される空気との接触効率を向上することが求められている。
【００１２】
本発明は、このような従来の課題を解決するものであり、加湿フィルタと送風手段により送風される空気との接触効率を向上させ、加湿効率を向上させることの出来る加湿装置を提供することを目的としている。
【００１３】
また、このような気化式加湿フィルタを使用する場合は加湿フィルタと送風手段により送風される空気との接触効率が低いと加湿量を確保する為に機器が大型になるという課題があり、加湿フィルタと送風手段により送風される空気との接触効率を向上することが求められている。
【００１４】
本発明は、このような従来の課題を解決するものであり、加湿フィルタと送風手段により送風される空気との接触効率を向上させ、コンパクトな加湿装置を提供することを目的としている。
【課題を解決するための手段】
【００１５】
本発明の加湿装置は上記目的を達成するために、少なくとも空気取り入れ口と空気吹き出し口と送風手段を備え、吸湿性を持つセラミックス素材で構成された加湿構造体と前記加湿構造体への水供給手段が空気取り入れ口と空気吹き出し口の間に設置されたことにより、乾燥空気を空気取り入れ口より取り入れ、吸湿性を持つセラミックス素材で構成された加湿構造体と接触することで取り入れた空気を加湿して空気吹き出し口から供給することの出来る加湿装置において空気と接触する加湿構造体を吸湿性を持つセラミックス素材で構成したものである。
【００１６】
この手段により毛細管現象を利用しないで加湿することができ、また、加湿用水中のスケール分の付着に対しても影響が少ない為一定期間ごとのメンテナンスを軽減できる加湿装置が得られる。
【００１７】
また他の手段は吸湿性を持つセラミックス素材で構成された加湿構造体が立体構造を持たせるための支持基材を用いて構成したものである。
【００１８】
この手段により良好な通気性を持たせることが出来、加湿フィルタの圧力損失を低減し、機器からの発生騒音、機器の消費電力を低く抑えることの出来る加湿装置が得られる。
【００１９】
また他の手段は吸湿性を持つセラミックス素材を疎水性のアルミノケイ酸塩としたものである。
【００２０】
この手段により、加湿フィルタの吸放湿効率を向上させ、加湿効率を向上した加湿装置が得られる。
【００２１】
また他の手段は支持基材をハニカム形状で構成したものである。
【００２２】
この手段により加湿フィルタと送風手段により送風される空気との接触効率を向上させ、加湿効率を向上した加湿装置が得られる。
【００２３】
また他の手段は支持基材を発泡形状としたものである。
【００２４】
この手段により加湿フィルタと送風手段により送風される空気との接触効率を向上させ、コンパクトな加湿装置が得られる。
【発明の効果】
【００２５】
本発明によれば毛細管現象を利用しないで加湿することができ、また、加湿用水中のスケール分の付着に対しても影響が少ない為一定期間ごとのメンテナンスを軽減できるといいう効果のある加湿装置を提供できる。
【００２６】
また、良好な通気性を持たせることで通気抵抗を低減することができ、消費電力を低減するという効果のある加湿装置を提供できる。
【００２７】
また、疎水性のアルミノケイ酸塩を使用することで吸放湿効率を向上させ、加湿効率を向上する効果のある加湿装置を提供できる。
【００２８】
また、支持基材をハニカム形状にすることで送風手段により送風される空気との接触効率を向上させ、加湿効率を向上する効果のある加湿装置を提供できる。
【００２９】
また、支持基材を発泡形状とすることで、送風手段により送風される空気との接触効率を向上させ、コンパクトな加湿装置を提供できる。
【発明を実施するための最良の形態】
【００３０】
本発明の請求項１記載の発明は、少なくとも空気取り入れ口と空気吹き出し口と送風手段を備え、吸湿性を持つセラミックス素材で構成された加湿構造体と前記加湿構造体への水供給手段が空気取り入れ口と空気吹き出し口の間に設置されたことにより、乾燥空気を空気取り入れ口より取り入れ、吸湿性を持つセラミックス素材で構成された加湿構造体と接触することで取り入れた空気を加湿して空気吹き出し口から供給することの出来る加湿装置において空気と接触する加湿構造体を吸湿性を持つセラミックス素材で構成したものであり、毛細管現象を利用しないで加湿することができ、また、加湿用水中のスケール分の付着に対しても影響が少ない為一定期間ごとのメンテナンスを軽減できるという作用を有する。
【００３１】
また、吸湿性を持つセラミックス素材で構成された加湿構造体が立体構造を持たせるための支持基材を用いて構成したものであり、良好な通気性を持たせることが出来、加湿フィルタの圧力損失を低減し、機器からの発生騒音、機器の消費電力を低く抑えることが出来るという作用を有する。
【００３２】
また、吸湿性を持つセラミックス素材を疎水性のアルミノケイ酸塩としたものであり、
加湿フィルタの吸放湿効率を向上させ、加湿効率を向上するという作用を有する。
【００３３】
また、支持基材をハニカム形状にしたものであり、送風手段により送風される空気との接触効率を向上させ、加湿効率を向上するという作用を有する。
【００３４】
また、支持基材を発泡形状としたものであり、送風手段により送風される空気との接触効率を向上させ、加湿装置をコンパクトに出来るという作用を有する。
【００３５】
以下、本発明の実施の形態について図面を参照しながら説明する。
【００３６】
（実施の形態１）
図１に示すように、１は加湿装置の本体であり、この本体１は空気取り入れ口２と空気吹き出し口６と送風手段３と吸湿性を持つセラミックス素材で構成された加湿構造体４と水供給手段５を備え、乾燥空気を空気取り入れ口２より取り入れ、吸湿性を持つセラミックス素材で構成された加湿構造体４と接触することで取り入れた空気を加湿して空気吹き出し口６から供給することの出来る加湿装置である。この加湿装置において空気と接触する加湿構造体４を吸湿性を持つセラミックス素材で構成したものであり、水供給手段５から加湿構造体４へ加湿用水が供給され加湿構造体４に加湿用水が保持される。空気取り入れ口２から取り入れられた乾燥空気は加湿構造体４と接触し、湿分移動が行われて加湿された空気を空気吹き出し口６から供給する。この加湿方式は毛細管現象による吸水作用を利用しないで加湿することができ、また、セラミックス素材で構成された加湿構造体４は多孔性であるため加湿用水中のスケール分の付着があっても加湿用水の保持力の低下が起こりにくく、定期的な洗浄を行わなくても加湿効率の低下が起りにくい。
【００３７】
なお、本実施の形態では、加湿構造体４を送風手段３の後方に備えたが、加湿構造体４を送風手段３の前方に備えてもよく、その作用効果に差異を生じない。
【産業上の利用可能性】
【００３８】
本発明の加湿装置は毛細管現象を利用しないで加湿することができ、また、加湿用水中のスケール分の付着に対しても影響が少ない為一定期間ごとのメンテナンスを軽減でき、家庭用および産業用に使用される加湿装置として有用である。
【図面の簡単な説明】
【００３９】
【図１】本発明の実施の形態１の加湿装置示す断面図
【図２】従来の加湿装置の構造を示す断面図
【図３】従来の加湿のうちのブロック回路図
【符号の説明】
【００４０】
１  本体
２  空気取り入れ口
３  送風手段
４  加湿構造体
５  水供給手段
６  空気吹き出し口
【図１】
2005114276.tif 000003
【図２】
2005114276.tif 000004
【図３】
2005114276.tif 000005